(57)【要約】【課題】空気清浄機能を有して信頼性を向上できる電気掃除機を提供する。【解決手段】本体部２に開口する第１吸込口１１ａと第１排気口１１ｂとを連通して本体部２内に配される第１空気通路１１と、第１空気経路１１に配される第１送風機６及び集塵部２０と、本体部２に開口する第２吸込口１２ａと第２排気口１２ｂとを連通して本体部２内に第１空気通路１１と区画して配される第２空気通路１２と、第２空気経路１２に配される第２送風機１７及びフィルタ１６とを備え、第１送風機６を駆動して集塵部２０に塵埃を集塵するとともに、第２送風機１７を駆動してフィルタ１６により空気中の塵埃を捕集する電気掃除機１において、本体部２に設けられて第２吸込口１２ａを覆う開閉可能な蓋部１５と、第２送風機１７の駆動時に蓋部１５を開状態とする蓋開閉手段２１、２２とを設けた。【選択図】図３
2014030480.tif 000002
【特許請求の範囲】
【請求項１】
床面に対峙する吸込口体に第１吸込口を介して接続される本体部と、
第１吸込口と前記本体部に開口する第１排気口とを連通して前記本体部内に配される第１空気通路と、
第１空気経路に配される第１送風機及び集塵部と、
前記本体部に開口する第２吸込口と第２排気口とを連通して前記本体部内に配される第２空気通路と、
第２空気経路に配される第２送風機及びフィルタと、
を備え、第１送風機を駆動して前記集塵部に塵埃を集塵するとともに、第２送風機を駆動して前記フィルタにより空気中の塵埃を捕集する電気掃除機において、
前記本体部に設けられて第２吸込口を覆う開閉可能な蓋部と、第２送風機の駆動時に前記蓋部を開状態とする蓋開閉手段とを設けたことを特徴とする電気掃除機。
【請求項２】
第１送風機の駆動時に、第２送風機が駆動されるとともに前記蓋開閉手段が前記蓋部を開状態とすることを特徴とする請求項１に記載の電気掃除機。
【請求項３】
第１送風機の停止後に、第２送風機が駆動されるとともに前記蓋開閉手段が前記蓋部を開状態とすることを特徴とする請求項１または請求項２に記載の電気掃除機。
【請求項４】
第２送風機の停止後に、前記蓋開閉手段が前記蓋部を閉状態とすることを特徴とする請求項３に記載の電気掃除機。
【請求項５】
第２吸込口が前記本体部の上面に配されるとともに、第１排気口及び第２排気口が前記本体部の背面に設けられ、前記蓋部を第２吸込口の前方で枢支して、前記蓋開閉手段により前記蓋部を開いた際に後方から第２吸込口に気流が流入することを特徴とする請求項１〜請求項４のいずれかに記載の電気掃除機。
【請求項６】
室内の塵埃量を検知する埃センサを更に備え、前記蓋開閉手段が前記埃センサの検知結果に基づいて前記蓋部の開閉量を可変させることを特徴とする請求項１〜請求項５のいずれかに記載の電気掃除機。
【発明の詳細な説明】
【技術分野】
【０００１】
本発明は、空気清浄機能を有した電気掃除機に関する。
【背景技術】
【０００２】
空気清浄機能を有した従来の電気掃除機は特許文献１に開示されている。この電気掃除機は床面を転動する車輪を有した本体部と床面に対峙する吸込口体とを備え、吸込口体が延長パイプ及び可撓性の接続ホースを介して本体部に接続される。
【０００３】
本体部の前面には接続ホースが接続される第１吸込口が開口し、背面には第１排気口が開口する。本体部内には第１吸込口と第１排気口とを連通させる第１空気通路が設けられる。第１空気通路内には集塵部及び第１送風機が配される。第１送風機の駆動によって吸込口体から塵埃を含む気流が吸い込まれる。第１吸込口を介して第１空気通路に流入した気流は集塵部で集塵され、第１排気口から排気される。これにより、床面の掃除を行うことができる。
【０００４】
また、本体部の上部には第１空気通路に対して区画して形成される第２空気通路が設けられる。第２空気通路は本体部の上面に開口する第２吸込口と背面に開口する第２排気口とを連通させる。第２空気通路内には第２吸込口に面して第２送風機が配され、第２排気口にはフィルタが配される。第２送風機の駆動によって第２吸込口から室内の空気が第２空気通路に流入し、フィルタにより塵埃を捕集して第２排気口から排気される。これにより、室内の空気清浄を行うことができる。
【先行技術文献】
【特許文献】
【０００５】
【特許文献１】特開２００４−１３５９９２号公報（第３頁−第６頁、第２図）
【発明の概要】
【発明が解決しようとする課題】
【０００６】
しかしながら、上記従来の電気掃除機によると、第２吸込口が本体部の上面に開口するため、第２吸込口を介して異物が第２空気通路内に進入する場合がある。これにより、第２送風機を破損して電気掃除機の信頼性が低下する虞があるという問題があった。
【０００７】
本発明は、空気清浄機能を有した電気掃除機において、信頼性を向上できる電気掃除機を提供することを目的とする。
【課題を解決するための手段】
【０００８】
上記目的を達成するために本発明は、床面に対峙する吸込口体に第１吸込口を介して接続される本体部と、第１吸込口と前記本体部に開口する第１排気口とを連通して前記本体部内に配される第１空気通路と、第１空気経路に配される第１送風機及び集塵部と、前記本体部に開口する第２吸込口と第２排気口とを連通して前記本体部内に配される第２空気通路と、第２空気経路に配される第２送風機及びフィルタと、を備え、第１送風機を駆動して前記集塵部に塵埃を集塵するとともに、第２送風機を駆動して前記フィルタにより空気中の塵埃を捕集する電気掃除機において、前記本体部に設けられて第２吸込口を覆う開閉可能な蓋部と、第２送風機の駆動時に前記蓋部を開状態とする蓋開閉手段とを設けたことを特徴としている。
【０００９】
この構成によると、第１送風機の駆動によって吸込口体から塵埃を含む気流が吸い込まれ、該気流は第１吸込口を介して第１空気通路を流通する。第１空気通路を流通する気流は集塵部で集塵され、第１排気口から排気される。また、第２送風機が駆動されると、蓋部が蓋開閉手段により開かれる。これにより、室内の空気が第２吸込口から第２空気通路に流入し、フィルタにより塵埃を捕集して第２排気口から排気される。
【００１０】
また本発明は、上記構成の電気掃除機において、第１送風機の駆動時に、第２送風機が駆動されるとともに前記蓋開閉手段が前記蓋部を開状態とすることを特徴としている。この構成によると、第１送風機が駆動されると第２送風機が駆動され、蓋開閉手段により蓋部が開かれる。
【００１１】
また本発明は、上記構成の電気掃除機において、第１送風機の停止後に、第２送風機が駆動されるとともに前記蓋開閉手段が前記蓋部を開状態とすることを特徴としている。この構成によると、第１送風機が停止されると第２送風機が駆動され、蓋開閉手段により蓋部が開かれる。
【００１２】
また本発明は、上記構成の電気掃除機において、第２送風機の停止後に、前記蓋開閉手段が前記蓋部を閉状態とすることを特徴としている。この構成によると、第２送風機が停止されると、蓋開閉手段により蓋部が閉じられる。
【００１３】
また本発明は、上記構成の電気掃除機において、第２吸込口が前記本体部の上面に配されるとともに、第１排気口及び第２排気口が前記本体部の背面に設けられ、前記蓋部を第２吸込口の前方で枢支して、前記蓋開閉手段により前記蓋部を開いた際に後方から第２吸込口に気流が流入することを特徴としている。この構成によると、第１排気口及び第２排気口の排気によって床面上の塵埃が本体部の後方に巻き上げられ、第２吸込口から第２空気通路に流入する。
【００１４】
また本発明は、上記構成の電気掃除機において、室内の塵埃量を検知する埃センサを更に備え、前記蓋開閉手段が前記埃センサの検知結果に基づいて前記蓋部の開閉量を可変させることを特徴としている。
【発明の効果】
【００１５】
本発明によると、空気清浄機能を有した電気掃除機において、信頼性を向上した電気掃除機を提供することができる。
【図面の簡単な説明】
【００１６】
【図１】本発明の実施形態の電気掃除機を示す斜視図
【図２】本発明の実施形態の電気掃除機の本体部を示す斜視図
【図３】本発明の実施形態の電気掃除機の本体部の蓋部を開いた状態を示す斜視図
【図４】本発明の実施形態の電気掃除機の本体部の後部の蓋部を閉じた状態を示す側面断面図
【図５】本発明の実施形態の電気掃除機の本体部の後部の蓋部を開いた状態を示す側面断面図
【図６】本発明の実施形態の電気掃除機の本体部の後部の内部を示す斜視図
【図７】本発明の実施形態の電気掃除機の後部カバーを示す上方から見た斜視図
【図８】本発明の実施形態の電気掃除機の後部カバーを示す下方から見た斜視図
【発明を実施するための形態】
【００１７】
＜第１実施形態＞
以下に本発明の実施形態を図面を参照して説明する。図１は一実施形態の電気掃除機を示す斜視図である。電気掃除機１は床面を転動する車輪７を有した本体部２を備えている。本体部２の背面には引き出し及び収納が可能な電源コード８が設けられる。電源コード８は電源プラグ９を先端に有し、商用電源のコンセントに差し込んで本体部２に電力供給される。
【００１８】
本体部２の前面には可撓性の接続ホース３が接続され、接続ホース３の先端には延長パイプ４が接続される。延長パイプ４の先端には床面に対峙する吸気口（不図示）を有した吸込口体５が設けられる。また、延長パイプ４には把持部１３及び操作部１４が設けられる。使用者により把持部１３を把持して吸込口体５を移動し、操作部１４の操作により掃除運転が実行される。
【００１９】
図２は本体部２の斜視図を示している。本体部２は本体カバー１０により覆われ、本体カバー１０の上部には使用者が運搬時に把持する把持部１０ａが設けられる。本体カバー１０の前面には接続ホース３（図１参照）を接続する第１吸込口１１ａが開口し、背面の下部には第１排気口１１ｂが開口する。本体部２内には第１吸込口１１ａと第１排気口１１ｂとを連通させる第１空気通路１１（図４参照）が形成される。
【００２０】
第１空気通路１１の前部には取っ手２０ａを把持して本体部２に対して上方に着脱可能なサイクロン式の集塵部２０が配される。第１空気通路１１内の集塵部２０の後方には第１送風機６（図４参照）が配される。第１送風機６の駆動によって吸込口体５（図１参照）から集塵部２０を介して第１排気口１１ｂに導かれる気流が流通する。
【００２１】
本体カバー１０の第１排気口１１ｂよりも上方の背面には第２排気口１２ｂが開口し、上面後部には図３に示すように蓋部１５により開閉される第２吸込口１２ａが開口する。また、本体部２の背面下部には第１、第２排気口１１ｂ、１２ｂを下方に向けて立設された本体部２を三点で支持する脚部１９が突設される。第１、第２排気口１１ｂ、１２ｂは脚部１９の後端面よりも前方に配されている。これにより、本体部２を立設した際に第２排気口１２ｂを塞ぐことなく排気することができる。
【００２２】
図４、図５は本体部２の後方上部の詳細を示す側面断面図であり、図４は蓋部１５の閉状態を示し、図５は開状態を示している。また、図６は本体部２の後方上部の内部を示す斜視図であり、本体カバー１０を取り外した状態を示している。本体部２の後方上部には第１送風機６を配した第１空気通路１１に対して仕切壁２５によって区画される第２空気通路１２が設けられる。
【００２３】
第２空気通路１２は本体部２の上面に開口する第２吸込口１２ａと背面に開口する第２排気口１２ｂとを連通させる。第２空気通路１２内には第２吸込口１２ａに面して塵埃を捕集するフィルタ１６が配される。フィルタ１６と第２排気口１２ｂとの間の第２空気通路１２内には軸流ファンから成る第２送風機１７が配される。
【００２４】
第２送風機１７の回転軸は水平に対して下方を後方に向けて傾斜し、上面の第２吸込口１２ａから背面の第２排気口１２ｂに円滑に気流を流通させることができる。尚、第１空気通路１１と第２空気通路１２とが区画されるため、第１空気通路１１の気流流通によって掃除が行われる際の吸込効率の低下を防止することができる。
【００２５】
第２空気通路１２の下方にはイオン発生装置３０が配される。イオン発生装置３０は第２空気通路１２に面したイオン発生面３０ａ上に複数の電極を有している。電極には交流波形またはインパルス波形から成る電圧が印加される。電極の印加電圧が正電圧の場合はイオンが空気中の水分と結合して主としてＨ+（Ｈ2Ｏ）ｍから成るプラスイオンを発生する。電極の印加電圧が負電圧の場合はイオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２６】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。プラスイオン及びマイナスイオンを発生して第２空気通路１２内に放出することにより、第２排気口１２ｂを介してイオンが室内に送出される。これにより、室内の殺菌及び脱臭を行うことができる。
【００２７】
Ｈ+（Ｈ2Ｏ）ｍ＋Ｏ2-（Ｈ2Ｏ）ｎ→・ＯＨ＋１／２Ｏ2＋（ｍ＋ｎ）Ｈ2Ｏ  ・・・（１）
Ｈ+（Ｈ2Ｏ）ｍ＋Ｈ+（Ｈ2Ｏ）ｍ’＋Ｏ2-（Ｈ2Ｏ）ｎ＋Ｏ2-（Ｈ2Ｏ）ｎ’
→  ２・ＯＨ＋Ｏ2＋（ｍ＋ｍ’＋ｎ＋ｎ’）Ｈ2Ｏ  ・・・（２）
Ｈ+（Ｈ2Ｏ）ｍ＋Ｈ+（Ｈ2Ｏ）ｍ’＋Ｏ2-（Ｈ2Ｏ）ｎ＋Ｏ2-（Ｈ2Ｏ）ｎ’
→  Ｈ2Ｏ2＋Ｏ2＋（ｍ＋ｍ’＋ｎ＋ｎ’）Ｈ2Ｏ  ・・・（３）
【００２８】
第２吸込口１２ａは本体部２に取り付けられる環状の後部カバー１８により形成される。図７、図８は後部カバー１８の上方から見た斜視図及び下方から見た斜視図を示している。後部カバー１８の前端及び後端には爪部１８ａ、１８ｂが設けられ、後部カバー１８は本体部２に爪部１８ａ、１８ｂが係合して取り付けられる。蓋部１５は後部カバー１８の第２吸込口１２ａよりも前方の軸部１５ａで枢支される。蓋部１５は着脱可能に設けられ、フィルタ１６（図４参照）の交換または掃除時などに取り外される。
【００２９】
図４〜図６において、蓋部１５の前端にはギヤ部１５ｂが設けられる。ギヤ部１５ｂは本体部２内に配したモータ２２の回転軸に取り付けられるギヤ２１に噛合する。モータ２２の駆動によってギヤ２１を介して蓋部１５が回動し、第２吸込口１２ａが開閉される。従って、ギヤ２１及びモータ２２は蓋部１５を開閉する蓋開閉手段の一例を構成する。
【００３０】
蓋部１５は閉じた状態から回動角度が１５°の範囲内で開かれる。蓋部１５の開閉量が大きい方が空気の流量が多くなるが、動作中に蓋部１５から異物の落下などの混入が入りやすくなる。このため、蓋部１５の閉じた状態からの回動角度に制限を設けている。また、蓋部１５を開いた状態で蓋部１５の上面の水平に対する角度にも制限を設けている。これにより、電気掃除機１の本体部２を移動して掃除をする際に、蓋部１５の引っ掛かりによる損傷を防止することができる。尚、蓋部１５を開いた状態で蓋部１５の上面の水平に対する角度は４５゜以下が望ましい。
【００３１】
上記構成の電気掃除機１において、操作部１４の操作により掃除運転が開始されると、第１、第２送風機６、１７が駆動されるとともにモータ２２により蓋部１５が開かれる。使用者は把持部１３を把持し、吸込口体５を床面上で移動させる。床面上の塵埃を含む気流は吸込口体５、延長パイプ４及び接続ホース３内を流通し、第１吸込口１１ａを介して第１空気通路１１に流入する。第１空気通路１１に流入した気流は集塵部２０で集塵され、第１送風機６を通過して第１排気口１１ｂから排気される。これにより、室内の掃除が行われる。
【００３２】
また、第２送風機１７の駆動によって室内の空気が第２吸込口１２ａを介して第２空気通路１２に流入する。第２空気通路１２に流入した気流はフィルタ１６で塵埃を捕集され、第２排気口１２ｂから排気される。これにより、室内の空気清浄を行うことができる。
【００３３】
この時、蓋部１５の閉じた状態からの回動角度に制限を設けているので、第２吸込口１２ａの上方から落下した異物が蓋部１５によって遮られる。また、第２吸込口１２ａから異物が侵入しても、第２吸込口１２ａに面したフィルタ１６によって異物が遮られる。
【００３４】
また、蓋部１５が前部で枢支されるため第２吸込口１２ａに後方から気流が流入する。これにより、背面に配した第１、第２排気口１１ｂ、１２ｂの排気によって巻き上げられた床面の塵埃を効率的に第２吸込口１２ａに導くことができる。従って、室内の空気清浄効果を向上することができる。更に、蓋部１５が前部で枢支されるため、操作者に対して蓋部１５が後部カバー１８の開口部を覆う状態となる。これにより、操作者に対する第２送風機１７からの騒音を抑制することができる。
【００３５】
操作部１４によって掃除運転の停止が指示されると、第１、第２送風機６、１７が停止されるとともにモータ２２により蓋部１５が閉じられる。そして、集塵部２０を取り外して集塵部２０に堆積した塵埃が廃棄される。この時、蓋部１５が閉じられるため、蓋部１５によって第２空気通路１２内への異物の進入が防止される。
【００３６】
尚、掃除運転の停止状態で蓋部１５を開いて第２送風機１７を所定時間駆動する空気清浄専用モードを設けてもよい。該空気清浄専用モードは、例えば、掃除運転の終了後に一定時間実施される。このようにすることによって、掃除運転中に空気中に巻き上げられて掃除運転終了時に空気中に浮遊する塵埃を捕集することができる。
【００３７】
ここで、空気清浄専用モードは掃除運転の停止状態で実施されるものあり、本体部２を立設させた状態で行われることが考えられる。本実施形態によると、本体部２の立設状態で空気清浄専用モードが行われた際にも上端で枢支される蓋部１５によって第２空気通路１２内への異物の侵入を確実に防止することができる。そして、空気清浄専用モードでの空気清浄動作が停止した後に蓋部１５が閉じるようにしてもよい。
【００３８】
また、空気清浄専用モードを設ける場合に、ユーザが空気清浄専用モードの途中で電源プラグ９（図１参照）を商用電源のコンセントから抜いてしまうことが考えられる。この場合を考慮して、例えば、モータ２２に電力を供給する電池またはコンデンサを備えてもよい。このように構成することによって、ユーザが空気清浄専用モードの途中で電源プラグ９を抜いてしまった場合にも、蓋部１５を閉状態とすることができる。これにより、第２空気通路１２内への異物の侵入を確実に防止することができる。
【００３９】
また、モータ２２に電力を供給する電池又はコンデンサ等がない場合には、商用電源のコンセントから電源プラグ９が抜かれると蓋部１５が開いた状態のまま停止される。この状態で再び電源プラグ９が商用電源のコンセントに差し込まれると、蓋部１５が閉じた状態に動作するようにしてもよい。これにより、蓋部１５を確実に閉じた状態にしてから掃除を行うことで本体部２の移動中の異物の混入を防止することができる。
【００４０】
本実施形態によると、第２送風機１７の駆動時に蓋部１５を開状態とするギヤ２１及びモータ２２（蓋開閉手段）を設けている。これにより、第２送風機１７の駆動時に室内の空気清浄を行うとともに、蓋部１５を閉じると第２吸込口１２ａから第２空気通路１２内への異物の進入を防止することができる。従って、電気掃除機１の信頼性を向上することができる。
【００４１】
また、第１送風機６の駆動時に第２送風機１７を駆動して蓋部１５が開かれるので、掃除運転中に室内の空気清浄を行うことができる。
【００４２】
また、第１送風機６の停止後に第２送風機１７を駆動して蓋部１５が開かれるので、掃除運転の終了後に室内の空気清浄を行うことができる。
【００４３】
また、第２送風機１７の停止後に蓋部１５を閉じるので、室内の空気清浄運転後に第２空気通路１２内への異物の進入を防止することができる。
【００４４】
また、第２吸込口１２ａが本体部２の上面に配され、第１、第２排気口１１ｂ、１２ｂが本体部２の背面に設けられる。そして、蓋部１５が第２吸込口１２ａの前方で枢支して開いた際に後方から第２吸込口１２ａに気流が流入する。これにより、掃除運転中に第１、第２排気口１１ｂ、１２ｂの排気により巻き上げられた床面の塵埃を効率的に第２吸込口１２ａに導いて空気清浄効果を向上することができる。
【００４５】
尚、本実施形態において、室内の塵埃量を検知する埃センサを設け、埃センサの検知結果に基づいて蓋部１５の開閉量を可変してもよい。即ち、室内の塵埃量が多い場合には蓋部１５の開閉量を大きくし、空気清浄を確実に行うことができる。また、室内の塵埃量が少ない場合には蓋部１５の開閉量を小さくし、必要な空気清浄を行うとともに第２空気通路１２内への異物の侵入をより低減することができる。
【００４６】
また、蓋部１５を開閉する蓋開閉手段をギヤ２１及びモータ２２により構成しているが、これに限定されるものではない。例えば、蓋部１５側に設けられた永久磁石及び本体部２側に設けられた電磁磁石により蓋開閉手段を構成し、両者間の反発力を利用して蓋部１５を開閉してもよい。
【産業上の利用可能性】
【００４７】
本発明によると、空気清浄機能を有した電気掃除機に利用することができる。
【符号の説明】
【００４８】
１    電気掃除機
２    本体部
３    接続ホース
４    延長パイプ
５    吸込口体
６    第１送風機
１０    本体カバー
１１    第１空気通路
１１ａ  第１吸込口
１１ｂ  第１排気口
１２    第２空気通路
１２ａ  第２吸込口
１２ｂ  第２排気口
１３    把持部
１４    操作部
１５    蓋部
１６    フィルタ
１７    第２送風機
１８    後部カバー
１９    脚部
２０    集塵部
２１    ギヤ
２２    モータ
３０    イオン発生装置
【図１】
2014030480.tif 000003
【図２】
2014030480.tif 000004
【図３】
2014030480.tif 000005
【図４】
2014030480.tif 000006
【図５】
2014030480.tif 000007
【図６】
2014030480.tif 000008
【図７】
2014030480.tif 000009
【図８】
2014030480.tif 000010